(57)【要約】【課題】遊技島内の各遊技媒体貸出機に対する配線を簡潔にすることによって、施工作業の簡素化及び施工時間の短縮化を可能とし、従来のようにサーバーと未接続、またはサーバーが未起動である場合の不都合をなくし、遊技島内の遊技媒体貸出機を全機一斉に、又は任意に選択した遊技媒体貸出機に対し一斉に選択して、最適なソフト更新を手間をかけずに行う島中継器を提供する。【解決手段】複数台の遊技媒体貸出機３、３…が設置された遊技島２内に設けられた島中継器１において、島中継器１は１ラインの島中継信号線４によって各遊技媒体貸出機３と接続され、島中継器１に、各遊技媒体貸出機３のソフト更新に必要なデータが記録された記録媒体を挿入して、島中継器１に設けられたスイッチの操作により、遊技島２の各遊技媒体貸出機３に対し全機一斉に、又は任意に選択した遊技媒体貸出機３に対し一斉に前記データを送信しソフト更新を行うようにした。【選択図】図１
2008054833.tif 000002
【特許請求の範囲】
【請求項１】
複数台の遊技媒体貸出機が設置された遊技島内に設けられた島中継器において、前記島中継器は１ラインの島中継信号線によって各遊技媒体貸出機と接続され、前記島中継器に各遊技媒体貸出機のソフト更新に必要なデータが記録された記録媒体を挿入して、前記島中継器に設けられたスイッチの操作により、前記遊技島の各遊技媒体貸出機に対し全機一斉に、又は任意に選択した前記遊技媒体貸出機に対し一斉に前記データを送信しソフト更新を行うことを特徴とする島中継器。
【請求項２】
隣接する複数の遊技島内の島中継器間が有線又は無線で接続され、いずれかの島中継器に挿入された前記記録媒体によって、すべての遊技島内の各遊技媒体貸出機に対し全機一斉に、又は任意に選択した前記遊技媒体貸出機に対し一斉に前記データを送信しソフト更新を行うことを特徴とする請求項１記載の島中継器。
【発明の詳細な説明】
【技術分野】
【０００１】
本発明は、遊技島に設置されている各遊技媒体貸出機のソフト更新を行う島中継器に関する。
【背景技術】
【０００２】
従来、複数の遊技媒体貸出機が設けられた遊技島においては、図４に示すように、複数の遊技島３２、３２…の各遊技媒体貸出機３０、３０…毎に夫々の遊技媒体貸出機３０が１本の通信線３１で遊技島３２の島端に設置されているＨＵＢ３３に接続され、このＨＵＢ３３から１本のサーバー通信線３４でサーバー３５に接続することによってアクセスし、各遊技媒体貸出機３０、３０…のデータを収集するようにしている。
【０００３】
上記の構成において、各遊技媒体貸出機３０、３０…を作動するシステムプログラムのソフト更新を行うには、サーバー３５側よりソフト更新信号を送信し、ソフト更新信号を受信した遊技媒体貸出機３０はサーバー３５へアクセスすることによって新しいシステムプログラムをダウンロードする。
【０００４】
ところが、上記の構成では、各遊技媒体貸出機３０、３０…に通信線３１が1本ずつ接続されているため、遊技島３２内では多くの配線が存在し、施工作業やメンテナンス作業の邪魔になるという不都合があった。また、各遊技島３２やＨＵＢ３３等に多くの配線を接続しなければならないため、施工に手間がかかるという問題があった。
【０００５】
さらに、各遊技媒体貸出機３０、３０…のソフト更新を行う際は、各遊技媒体貸出機３０、３０…からサーバーヘアクセスしてソフト更新を行うため、サーバー３５と未接続、またはサーバー３５が未起動の場合、ソフト更新が行えないという不都合があった。
【０００６】
上記の構成に関連した従来の技術として、特許文献１に記載された遊技場管理システムは、センターサーバーに通信手段を介して接続した複数のコンピュータを備え、センターサーバーは各コンピュータが通信すべきコンピュータのアドレスを記憶し、アクセスしてきたコンピュータに対応する通信すべきアドレスを出力するようにしている。また、各コンピュータは遊技台データや玉貸しデータ等のデータを収集すると共に、センターサーバーにアクセスした際、センターサーバーから受信したアドレスに基づいて通信すべきコンピュータに直接接続する機能を備え、複数のコンピュータのうち少なくとも１つは、自身に接続したコンピュータのデータを収集し、演算処理を行う機能を備え、これによって多数のコンピュータのプログラムのインストールや更新などを一括して行うようにしたものである。
【特許文献１】特開２００４−２０８８２３号公報
【発明の開示】
【発明が解決しようとする課題】
【０００７】
ところが、上記の特許文献１においては、複数のコンピュータの少なくとも１つからセンターサーバーを介して通信すべきコンピュータに接続するものであるため、サーバーと未接続、またはサーバーが未起動の場合、プログラムのインストールや更新などを行うことができないという不都合があり、この点では、上記の図４に示す従来例と同様の問題点を有するものである。
【０００８】
本発明は、以上の事情に鑑みてなされたもので、遊技島内の各遊技媒体貸出機に対する配線を簡潔にすることによって、施工作業の簡素化及び施工時間の短縮化を可能とし、また従来の遊技島のように、サーバーと未接続、またはサーバーが未起動である場合、ソフト更新が行えないという不都合をなくし、さらには遊技島内の遊技媒体貸出機を全機一斉に、又は任意に選択した遊技媒体貸出機に対し一斉に選択し、最適なソフト更新を手間をかけずに行うことができる島中継器を提供することを目的とする。
【課題を解決するための手段】
【０００９】
上記の問題を解決するために、本発明の請求項１に記載した島中継器は、複数台の遊技媒体貸出機が設置された遊技島内に設けられた島中継器において、前記島中継器は１ラインの島中継信号線によって各遊技媒体貸出機と接続され、前記島中継器に各遊技媒体貸出機のソフト更新に必要なデータが記録された記録媒体を挿入して、前記島中継器に設けられたスイッチの操作により、前記遊技島の各遊技媒体貸出機に対し全機一斉に、又は任意に選択した前記遊技媒体貸出機に対し一斉に前記データを送信しソフト更新を行うことを特徴とする。
【００１０】
また、本発明の請求項２に記載した島中継器は、請求項１において、隣接する複数の遊技島内の島中継器間が有線又は無線で接続され、いずれかの島中継器に挿入された前記記録媒体によって、すべての遊技島内の各遊技媒体貸出機に対し全機一斉に、又は任意に選択した前記遊技媒体貸出機に対し一斉に前記データを送信しソフト更新を行うことを特徴とする。
【発明の効果】
【００１１】
本発明の島中継器によれば、各遊技媒体貸出機と島中継器とは１ラインの島中継信号線で接続され、このように通信線を共通化することによって、遊技島内の配線を簡潔にすることができ、施工作業の簡素化、施工時間の短縮が可能となる。
【００１２】
また、遊技島内に設けられた島中継器において、ソフト更新に必要なデータが記録された記録媒体を挿入し、スイッチ操作することによって、各遊技媒体貸出機にデータを送信しソフト変更を行うことが可能であるため、ソフト更新したい遊技媒体貸出機を任意に選択することが可能であり、遊技島の各遊技媒体貸出機に対して全機一斉に、又は任意に選択した遊技媒体貸出機に対し一斉に最適なデータを送信しソフト更新を行うことが可能となる。
【００１３】
また、各遊技媒体貸出機のソフト更新は、島中継器に挿入する記録媒体を所持している者のみ行うことが可能であるため、ソフト更新の管理を行い、不正なソフト更新を防止することが可能となる。
【００１４】
また、本発明においては、島中継器から遊技島内の各遊技媒体貸出機にデータを送信しソフト変更を行うようにしているため、従来のようにサーバーと未接続、またはサーバーと未起動の場合、遊技媒体貸出機に対するソフト更新が行えないという不都合を解消することができる。
【００１５】
さらに、隣接する複数の遊技島内の島中継器間が有線又は無線で接続されているため、各遊技島に設置されている各遊技媒体貸出機を全機一斉に、又は任意に選択した遊技媒体貸出機に対し一斉にソフト更新することができ、ソフト更新作業に要する手間を削減することが可能となる。
【発明を実施するための最良の形態】
【００１６】
以下、本発明の実施例について図面を参照しながら説明する。
【実施例１】
【００１７】
図１は、本実施例の島中継器１が設けられた少なくとも２つの遊技島２、２を示す概略図である。この図に示すように、各遊技島２には複数の遊技媒体貸出機３が設置されると共に、遊技島２内には、その島端に、島中継器１が設置されている。この島中継器１は、上記の遊技島２内の各遊技媒体貸出機３に１ラインの島中継信号線４で接続されると共に、遊技島２外に設置された島管理装置５に信号線１５で接続されている。上記の島中継信号線４によって、各遊技媒体貸出機３の売上データを島中継器１へ送信し、また島中継器１からソフト変更信号があった場合、各遊技媒体貸出機３へ送信することが可能とされている。
【００１８】
ここで、図２に示す遊技媒体貸出機３について説明すると、遊技媒体貸出機３は貸出機本体３ａとフレーム３ｂとで構成され、フレーム３ｂの背面には略中央に中継基板７が固設されている。また、この中継基板７には上記の島中継信号線４が接続されている。さらに、遊技媒体貸出機３の背面には該遊技媒体貸出機３の電源コネクタ９が貸出機本体３ａに接続されている。また、貸出機本体３ａの背面に設けられた接続コネクタ端子１０は接続コネクタ１１を介して上記の中継基板７に接続されている。
【００１９】
上記の構成において、中継基板７には玉貸機に固有のアドレスであるＩＤアドレスが保存されている。制御部８は遊技媒体貸出機３の動作制御を行う。また、遊技媒体貸出機３の売上データは制御部８から接続コネクタ１１を経由して中継基板７より島中継器１へ送信される。
【００２０】
次に、図３に示す島中継器１について説明すると、箱状ケース１２の上部には遊技島２内に取り付けるための取付穴１３、１３が設けられている。また、上記の各遊技媒体貸出機３に接続された１ラインの島中継信号線４がケース１２に接続され、ケース１２の内部から電源コード１４が取り出されると共に、隣接する遊技島２（図１参照）の島中継器１と連絡する中継器間信号線１６及び島管理装置５へ接続する信号線１５が接続されている。
【００２１】
また、ケース１２の内部には記憶媒体スロット部１７が設けられ、ケース１２の側部に設けられた挿入口１７ａから記憶媒体１８を抜き出し自在に挿入することによって、記憶媒体スロット部１７に装填可能としている。記憶媒体１８としては周知のＳＤメモリカード、コンパクトフラッシュ（登録商標）等を使用することができ、この記憶媒体１８に各遊技媒体貸出機３のソフト更新に必要なシステムプログラムのデータが記録されている。また、島中継器１には各遊技媒体貸出機３の固有のアドレス、機種情報等が認識されており、モード切替スイッチ１９の操作によりソフト更新を行いたい遊技媒体貸出機３を任意に選択することができ、個別のデータ送信、機種別のデータ送信、全機へのデータ送信が可能とされている。
【００２２】
さらに、ケース１２の前面にはモード切替スイッチ１９、例えばプッシュボタン式による決定・選択スイッチ２０、動作コード等を表示する表示部２１と、ＬＥＤランプ等の点滅又は点灯によって書込状態を表す状態表示ランプ２２が設けられている。
【００２３】
上記のモード切替スイッチ１９は、島中継信号線４で接続された遊技媒体貸出機３を機種別又は個別というような任意に選択するか、或いは全ての遊技媒体貸出機３を選択することができ、このモード切替スイッチ１９の操作により、各遊技媒体貸出機３のソフト更新に必要なデータを全機一斉に、又は任意に選択した遊技媒体貸出機３に対し一斉に送信しソフト更新を行うことを可能となる。
【００２４】
さらに、本実施例においては、図１に示すように、隣接する複数の遊技島２、２…内の島中継器１、１間が有線又は無線で接続され、いずれかの島中継器１に挿入された記録媒体１８によって、すべての遊技島２内の各遊技媒体貸出機３に対し全機一斉に、又は任意に選択した遊技媒体貸出機３に対し一斉にデータを送信しソフト更新を行うことが可能とされている。
【００２５】
上記のように構成された島中継器１を用いて、各遊技媒体貸出機３に対するソフト変更を行うには、遊技島２内の各遊技媒体貸出機３、３…に島中継信号線４を接続し、この島中継信号線４を島中継器１に接続する。この接続の際、島中継器１は遊技媒体貸出機３が持つ固有のアドレスと機種情報を認識する。
【００２６】
次いで、島中継器１の記録媒体スロット部１７に記録媒体１８を挿入し（図３参照）、決定・選択スイッチ２０の操作で、各遊技媒体貸出機３に対し、記録媒体１８に記録されたシステムプログラムのデータを送信する。この送信に際し、モード切替スイッチ１９の操作により、ソフト更新を行いたい遊技媒体貸出機３を任意に選択し、個別のデータ送信、又は機種別のデータ送信、さらには遊技島２内に設置された全ての遊技媒体貸出機３にデータ送信を行うことが可能となる。
【００２７】
なお、上記のように各遊技媒体貸出機３のソフト更新に必要なデータを任意に選択した遊技媒体貸出機３にデータ送信する必要がある場合としては、まず、遊技島２に機種の異なる遊技媒体貸出機３が設置され、そのうちの特定の同機種のみのソフト更新を行う必要がある場合、また遊技媒体貸出機３の故障等のメンテナンス作業でいずれかの遊技媒体貸出機３を入れ替えた場合、さらに、一斉に各遊技媒体貸出機３、３…のソフト更新を行った際に、エラー等でソフト更新ができなかった遊技媒体貸出機３へ再更新を行う場合等が挙げられる。
【００２８】
また、このデータ送信の際、遊技媒体貸出機３では自身のシステムプログラムとアップロードされるシステムプログラムとを比較し、新しいものと判断した場合に、自身の遊技媒体貸出機３にダウンロードすることができる。
【００２９】
さらに、図１に示すように、隣接する複数の遊技島２内の島中継器１間が有線又は無線（例えば無線ＬＡＮ等）で接続されているため、各遊技島２に設置されている各遊技媒体貸出機３を全機一斉に、又は任意に選択した遊技媒体貸出機３に対し一斉にソフト更新することができ、ソフト更新作業に要する手間を削減することが可能となる。
【００３０】
なお、上記した本実施例における遊技媒体貸出機３は、遊技客に遊技玉を貸し出す玉貸機、及び遊技メダルを貸し出すメダル貸出機のいずれにも適用可能である。
【産業上の利用可能性】
【００３１】
本発明の島中継器は、遊技島内の各遊技媒体貸出機に対する配線を簡潔にすることによって、施工作業の簡素化及び施工時間の短縮化を可能とし、従来のようにサーバーと未接続、またはサーバーが未起動である場合の不都合をなくし、さらには遊技島内の遊技媒体貸出機を全機一斉に、又は任意に選択して、最適なソフト更新を手間をかけずに行うことができる島中継器として利用可能である。
【図面の簡単な説明】
【００３２】
【図１】本発明に係る遊技島を示す概略図である。
【図２】本発明に係る遊技媒体貸出機を示す斜視図である。
【図３】本発明に係る島中継器を示す斜視図である。
【図４】従来の遊技島を示す概略図である。
【符号の説明】
【００３３】
１  島中継器
２  遊技島
３  遊技媒体貸出機
３ａ  貸出機本体
３ｂ  フレーム
４  島中継信号線
５  島管理装置
７  中継基板
８  制御部
９  電源コネクタ
１０  接続コネクタ端子
１１  接続コネクタ
１２  ケース
１３  取付穴
１４  電源コード
１５  信号線
１６  中継器間信号線
１７  記憶媒体スロット部
１７ａ  挿入口
１８  記憶媒体
１９  モード切替スイッチ
２０  決定・選択スイッチ
２１  表示部
２２  状態表示ランプ
【図１】
2008054833.tif 000003
【図２】
2008054833.tif 000004
【図３】
2008054833.tif 000005
【図４】
2008054833.tif 000006